(57)【特許請求の範囲】
【請求項１】
空気取入口と空気吐出口が設けられたケーシング内に、
オイルミストを含んだ空気が導入される空気導入部と、
放電極と対極によって形成されるイオン流場とクロスするように前記オイルミストを含んだ空気を流すことにより、オイルミストを空気イオンで荷電する荷電部と、
該荷電部の下流側に設置された周囲の電界強度を高めたコイルによって、前記荷電部で荷電されたオイルミストを捕集する捕集部と、を備え、
前記荷電部は、
柱状の放電極取付棒に複数対の放電極が上下方向に所定の間隔をあけて取り付けられると共に、前記放電極取付棒及び前記放電極が筒状の放電極保護管内に収納され、
前記放電極保護管には、その内部に収納された放電極の先端部に対応する位置に穴部が形成され、
前記穴部と対向する位置には接地された対極が設けられ、
前記放電極取付棒には高電圧発生装置が接続され、
前記放電極保護管内には、清浄空気供給装置により清浄化された空気が供給されるように構成され、
前記穴部により前記放電極と前記対極の間にイオン流場が形成されるように構成されていることを特徴とするオイルミスト除去機能を備えた空気調和機。
【請求項２】
前記捕集部は、接地されたコイルと、その上流側及び下流側に配設された高電圧スクリーンとから構成され、
前記コイルの上流側の高電圧スクリーンには、前記放電極取付棒に印加される電圧と同極性の高電圧発生装置が接続され、
前記コイルの下流側の高電圧スクリーンには、前記放電極取付棒に印加される電圧と反対極性の高電圧発生装置が接続されていることを特徴とする請求項１に記載のオイルミスト除去機能を備えた空気調和機。
【請求項３】
前記穴部の断面形状がテーパー状とされ、前記放電極保護管の内側の径に対して外側の径が大きくなるように構成されていることを特徴とする請求項１又は請求項２に記載のオイルミスト除去機能を備えた空気調和機。
【請求項４】
前記対極は、所定の幅のスリットを有するスクリーン状に構成されていることを特徴とする請求項１乃至請求項３のいずれか一に記載のオイルミスト除去機能を備えた空気調和機。
【請求項５】
前記対極は、格子状に構成されていることを特徴とする請求項１乃至請求項３のいずれか一に記載のオイルミスト除去機能を備えた空気調和機。
【請求項６】
前記清浄空気供給装置と前記荷電部とが一体化して構成されていることを特徴とする請求項１乃至請求項５のいずれか一に記載のオイルミスト除去機能を備えた空気調和機。
【発明の詳細な説明】
【技術分野】
【０００１】
本発明は、オイルミスト除去機能を備えた空気調和機に関するものである。
【背景技術】
【０００２】
金属の切削、研削を行なう機械加工工場では、加工部分の冷却や潤滑、加工精度の向上のために切削油をかけているが、摩擦熱や加工機械の高速回転によりオイルミストが大量に発生する。このオイルミストを除去するために、従来から、工場内に設置される各生産装置１に対して、特許文献１や特許文献２に示されているような静電気方式や濾過方式の局所排気処理用オイルミスト除去装置２を設置すると共に、全外気型空気調和機３を設置して、全外気によって全体換気を行う方法が採用されている（図１６参照）。
【０００３】
しかしながら、このような局所排気処理用オイルミスト除去装置２には、初期除去性能を維持するための適切なメンテナンスを実施する必要があったが、それがなされないため、除去装置として機能していない場合が多かった。また、このような除去装置を設置しても、工作機械の開放(隙間)部分や、加工物及び工具交換のための扉やカバーの開放時において、オイルミストが直接工場内に放出される場合があり、工場内にオイルミストが浮遊するという問題を引き起こしていた。
【０００４】
さらに、オイルミストの吸引による作業者の健康被害、床面が滑り易くなることによる作業の安全性の問題、オイルミストの工場外への排出による大気汚染への影響等が懸念されている。また、図１６に示すように、工場内に全外気型空気調和機３を設置し、全体換気方式を採用した場合には、オイルミストを排出するために温調した空気をすべて排気することになるため、エネルギーロスが大きいという問題点もあった。
【特許文献１】特開２００１−１３７７４１号公報
【特許文献２】特開２００３−１８５２４１号公報
【発明の開示】
【発明が解決しようとする課題】
【０００５】
そこで、近年、エネルギーロスの少ない室内循環型空気調和機を採用することが検討されているが、この場合、工場内が換気されないため、工場内の環境悪化が懸念される。このような環境悪化を防止するため、オイルミスト除去装置として室内循環型の静電気方式のものが一般的に多く使用されている（特許文献１参照）。
【０００６】
しかしながら、このような室内循環型の静電気方式オイルミスト除去装置を採用した場合、放電極や接地極上にオイルミストが短時間に堆積して捕集性能が低下するため、その性能維持のために頻繁に電極をクリーニングする必要があった。また、従来、工場内を温調するための室内循環型空気調和機は、オイルミストの付着により冷温水コイルが汚れるため、頻繁にメンテナンスを行う必要があった。
【０００７】
本発明は、上述したような従来技術の問題点を解決するために提案されたものであり、その目的は、放電極（オイルミスト荷電部）や接地極（オイルミスト捕集部）上にオイルミストが堆積することを防止し、メンテナンスを容易にすると共に、長期間にわたって優れた荷電効率及び捕集性能を維持できる、室内循環型も可能なオイルミスト除去機能を備えた空気調和機を提供することにある。
【課題を解決するための手段】
【０００８】
上記目的を達成するため、請求項１に記載のオイルミスト除去機能を備えた空気調和機は、空気取入口と空気吐出口が設けられたケーシング内に、オイルミストを含んだ空気が導入される空気導入部と、放電極と対極によって形成されるイオン流場とクロスするように前記オイルミストを含んだ空気を流すことにより、オイルミストを空気イオンで荷電する荷電部と、該荷電部の下流側に設置された周囲の電界強度を高めたコイルによって、前記荷電部で荷電されたオイルミストを捕集する捕集部と、を備え、前記荷電部は、柱状の放電極取付棒に複数対の放電極が上下方向に所定の間隔をあけて取り付けられると共に、前記放電極取付棒及び前記放電極が筒状の放電極保護管内に収納され、前記放電極保護管には、その内部に収納された放電極の先端部に対応する位置に穴部が形成され、前記穴部と対向する位置には接地された対極が設けられ、前記放電極取付棒には高電圧発生装置が接続され、前記放電極保護管内には、清浄空気供給装置により清浄化された空気が供給されるように構成され、前記穴部により前記放電極と前記対極の間にイオン流場が形成されるように構成されていることを特徴とするものである。
【０００９】
上記のような構成を有する請求項１に記載の発明によれば、放電極と対極の間に形成されるイオン流場とクロスするようにオイルミストを含んだ空気を流すことにより、オイルミストと空気イオンの衝突確率を向上させ、オイルミストを効率良く帯電させることができる。
【００１０】
また、コイルの周囲に大きな電位勾配（電界）をつくることにより、荷電されたオイルミストは上流側の高電圧スクリーンと接地されたコイルのコイルフィンの縁との間にできた電界によるクーロン力で、コイルフィンの縁にまず捕集される。残りは、オイルミストと反対極性の下流側の高電圧スクリーンによりコイルフィン間に誘引され、下流側の高電圧スクリーンに捕集される前に、コイルフィンと荷電されたオイルミストとの間に働くクーロン力により捕集される。
【００１２】
請求項１に記載の荷電部の具体的な構成により、高電圧発生装置に接続された放電極からは該高電圧発生装置と同極性の空気イオンが発生し、放電極と対極の間にイオン流場が形成される。このイオン流場とクロスするようにオイルミストを含んだ空気を流すことにより、オイルミストと空気イオンの衝突確率を向上させ、オイルミストを効率良く帯電させることができる。
【００１３】
請求項２に記載の発明は、請求項１に記載のオイルミスト除去機能を備えた空気調和機において、前記捕集部は、接地されたコイルと、その上流側及び下流側に配設された高電圧スクリーンとから構成され、前記コイルの上流側の高電圧スクリーンには、前記放電極取付棒に印加される電圧と同極性の高電圧発生装置が接続され、前記コイルの下流側の高電圧スクリーンには、前記放電極取付棒に印加される電圧と反対極性の高電圧発生装置が接続されていることを特徴とするものである。
【００１４】
請求項２に記載の発明は捕集部の構成を具体的に規定したものであって、接地されたコイルの上流側の高電圧スクリーンに、放電極取付棒に印加される電圧と同極性の高電圧を印加すると共に、該コイルの下流側の高電圧スクリーンには、放電極取付棒に印加される電圧と反対極性の高電圧を印加して、大きな電位勾配（電界）をつくることにより、荷電されたオイルミストは上流側の高電圧スクリーンと接地されたコイルのコイルフィンの縁との間にできた電界によるクーロン力で、コイルフィンの縁にまず捕集される。残りは、オイルミストと反対極性の下流側の高電圧スクリーンによりコイルフィン間に誘引され、下流側の高電圧スクリーンに捕集される前に、コイルフィンと荷電されたオイルミストとの間に働くクーロン力により捕集される。
【００１５】
請求項３に記載の発明は、請求項１又は請求項２に記載のオイルミスト除去機能を備えた空気調和機において、前記穴部の断面形状がテーパー状とされ、前記放電極保護管の内側の径に対して外側の径が大きくなるように構成されていることを特徴とするものである。
【００１６】
上記のような構成を有する請求項３に記載の発明によれば、断面形状がテーパー状に形成された穴部の内側の径でシースエアの速度を速めてシースエア効果を高めると同時に、外側のより大きい径で電極先端の電界強度を高め、より低い印加電圧で多量のイオンを発生させることができる。
【００１７】
請求項４に記載の発明は、請求項１乃至請求項３のいずれか一に記載のオイルミスト除去機能を備えた空気調和機において、前記対極は、所定の幅のスリットを有するスクリーン状に構成されていることを特徴とするものである。
【００１８】
また、請求項５に記載の発明は、請求項１乃至請求項３のいずれか一に記載のオイルミスト除去機能を備えた空気調和機において、前記対極は、格子状に構成されていることを特徴とするものである。
【００１９】
上記のような構成を有する請求項４あるいは請求項５に記載の発明は、対極の構造を具体的に規定したものであって、対極をスリットを有するスクリーン状または格子状にして、その面積をできるだけ小さく構成することにより、対極でのオイルミストの捕集量を最小にすることができるので、対極が汚れにくくなり、頻繁に洗浄や清掃等を実施する必要がなくなる。
【００２０】
請求項６に記載の発明は、請求項１乃至請求項５のいずれか一に記載のオイルミスト除去機能を備えた空気調和機において、前記清浄空気供給装置と前記荷電部とが一体化して構成されていることを特徴とするものである。
上記のような構成を有する請求項６に記載の発明によれば、荷電部の構成、ひいては本空気調和機の構成をよりコンパクトにすることができる。
【発明の効果】
【００２１】
本発明によれば、放電極（オイルミスト荷電部）や接地極（オイルミスト捕集部）上にオイルミストが堆積することを防止し、メンテナンスを容易にすると共に、長期間にわたって優れた荷電効率及び捕集性能を維持できる、室内循環型も可能なオイルミスト除去機能を備えた空気調和機を提供することができる。
【発明を実施するための最良の形態】
【００２２】
以下、本発明に係るオイルミスト除去機能を備えた室内循環型空気調和機（以下、本空気調和機という）の具体的な実施の形態（以下、実施形態という）を、図面を参照して説明する。
【００２３】
（１）構成
（１−１）オイルミスト除去機能付き空気調和機の構成
図１に示すように、本空気調和機１０は、その両端に空気取入口１１と空気吐出口１２が設けられたケーシング１３内に、大別して、空気導入部２０、荷電部３０、捕集部４０及び送風機５０を配置してなるものである。
【００２４】
すなわち、本空気調和機１０は、空気取入口１１を介してケーシング１３内に該空気調和機が設置される工場内のオイルミストを含んだ空気が導入される空気導入部２０と、後述するような構成を有する放電極３１と対極（接地極）３２によって形成されるイオン流場とクロスするように前記オイルミストを含んだ空気を流すことにより、オイルミストを空気イオンで高効率に荷電する荷電部３０と、該荷電部３０の下流側に設置され、両側を正と負の高電圧スクリーン４１ａ、４１ｂで挟むことにより周囲の電界強度を高めた冷温水コイル４２によって、前記荷電部３０で荷電されたオイルミストを高効率で捕集する捕集部４０と、工場内のオイルミストを含んだ空気を本空気調和機１０内に導入すると共に、オイルミストを除去した空気を空気吐出口１２から再度工場内に給気する送風機５０とから構成されている。
【００２５】
また、前記荷電部３０には、清浄空気供給装置６０から清浄空気が供給されるように構成され、前記冷温水コイル４２の上流側には、自動洗浄装置４３が配設されると共に、冷温水コイル４２の下流側には、エリミネーター４７が配設されている。なお、図２は、本空気調和機１０を金属加工工場等に設置した場合の全体構成を示したものである。以下、本空気調和機１０の各部の構成について詳述する。
【００２６】
（１−２）オイルミストの荷電部の構成
本空気調和機１０の荷電部３０は、以下のように構成されている。すなわち、図１、図３及び図４に示すように、四角柱状の放電極取付棒３３には、隣接する２側面に複数対の放電極３１が上下方向に所定の間隔をあけて取り付けられ、さらに、これらの放電極取付棒３３及び放電極３１は、円筒状の放電極保護管３４内に収納されている。また、前記放電極取付棒３３は、負の高電圧発生装置３６に接続されている。
【００２７】
また、前記放電極保護管３４には、その内部に収納された放電極３１の先端部に対応する位置に穴部３５が形成され、この穴部３５が清浄空気吹出口となって、前記清浄空気供給装置６０により清浄化された空気を、放電極３１の周囲に該放電極３１を包むように供給することができるように構成されている。これにより、清浄空気によってオイルミストを含む空気をパージして、オイルミストの放電極３１上への堆積を防止することができるように構成されている。
【００２８】
なお、図４に示すように、前記穴部３５の断面形状はテーパー状とされ、放電極保護管３４の内側の径に対して外側の径が大きくなるように構成されている。これにより、内側の径でシースエアの速度を速めてシースエア効果を高めると同時に、外側のより大きい径で電極先端の電界強度を高め、より低い印加電圧で多量のイオンを発生させることができるように構成されている。電極先端から見える対極の面積が広いほど、電極先端の電界強度が上がるからである。
【００２９】
一方、前記放電極保護管３４に形成された穴部３５の向い側には、所定の幅のスリット３２ａを有するスクリーン状の対極（接地極）３２が設けられている。これにより、図４に示すように、放電極３１と対極３２の間にイオン流場を形成し、そこをクロスするようにオイルミストを含んだ空気を流すことにより、オイルミストと空気イオンの衝突確率を向上させ、荷電効率をアップすることができるように構成されている。
【００３０】
なお、図５（Ａ）は、前記スリット３２ａを有するスクリーン状の対極３２と放電極保護管３４及び放電極３１の位置関係を示す平面図であり、図５（Ｂ）は、前記スリット３２ａを有するスクリーン状の対極３２の断面図である。また、対極（接地極）３２の形状は、上述したようなスリット３２ａを有するスクリーン状に限定されるものではなく、図６（Ａ）（Ｂ）に示すように、格子状としても良い。
【００３１】
（１−３）清浄空気供給装置
前記荷電部３０に清浄空気を供給する清浄空気供給装置６０は、外気をフィルタによって清浄処理する外気処理装置であり、図１に示すように、プレフィルタ６１、中性能フィルタ６２及び送風機６３から構成されている。そして、この清浄空気供給装置６０によって得られた清浄空気は、給気ダクト６４を介して、本空気調和機１０の上方から前記放電極保護管３４内に供給されるように構成されている。
【００３２】
（１−４）オイルミストの捕集部
本空気調和機１０の捕集部４０は、以下のように構成されている。すなわち、冷温水コイル４２はアルミニウム製等のコイルフィン（図示せず）が複数枚等間隔に配置されて構成され、冷温水コイル４２の下部から冷温水が供給され、上部より排出されるように構成されている。
【００３３】
また、図１に示すように、冷温水コイル４２の上流側及び下流側には、高電圧スクリーン４１ａ、４１ｂが設置され、上流側の高電圧スクリーン４１ａには負の高電圧発生装置４４ａが接続され、下流側の高電圧スクリーン４１ｂには正の高電圧発生装置４４ｂが接続されている。
【００３４】
また、冷温水コイル４２の上流側には、該冷温水コイル４２に捕集されたオイルミストを除去するために自動洗浄装置４３が設置されている。この自動洗浄装置４３には、洗浄水を供給する洗浄水送水管４３ａ、及び、供給された洗浄水を冷温水コイル４２に吹き付ける噴射ノズル４３ｂが取り付けられ、前記噴射ノズル４３ｂを上下方向あるいは横方向に往復移動させることができるように構成されている。
【００３５】
なお、前記高電圧スクリーン４１ａ、４１ｂは、図７（Ａ）〜（Ｃ）に示すように、四角形状の網目構造を有するスクリーン４５ａをスクリーン枠４６に固定したもの、あるいは、縦縞又は横縞の網目構造を有するスクリーン４５ｂ、４５ｃをスクリーン枠４６に固定したものが用いられる。また、図８（Ａ）〜（Ｃ）に示すように、菱形状の網目構造を有するスクリーン４５ｄをスクリーン枠４６に固定したもの、網目形状が右斜線又は左斜線のスクリーン４５ｅ、４５ｆをスクリーン枠４６に固定したもの、あるいは、図９に示すように、複数個のパンチング穴を有するスクリーン４５ｇをスクリーン枠４６に固定したものなどが用いられる。
【００３６】
（２）作用
上記のような構成を有する本実施形態のオイルミスト除去機能を備えた室内循環型空気調和機は、以下のように作用する。
【００３７】
すなわち、図１及び図２に示すように、ケーシング１３の一端に設けられた空気取入口１１からオイルミストを含む空気がケーシング１３内に導入される（空気導入部２０）。このオイルミストを含む空気は、送風機５０によってケーシング１３内を荷電部３０方向に移動する。
【００３８】
一方、荷電部３０においては、図４に示すように、負の高電圧発生装置３６に接続された放電極３１からは負の空気イオンが発生し、放電極３１と対極３２の間にイオン流場が形成される。このイオン流場とクロスするようにオイルミストを含んだ空気を流すことにより、オイルミストと空気イオンの衝突確率を向上させ、オイルミストを効率良く帯電させることができる。
【００３９】
なお、この場合、荷電されたオイルミストを対極３２に誘引し捕集することにより、対極３２が汚れ、頻繁に洗浄や清掃等が必要になることが懸念されるが、荷電されたオイルミストはイオンに比べてはるかに粒子径が大きく、電気的移動度が非常に小さいため、気流に流されて対極３２にあまり捕集されない。
【００４０】
また、荷電されていないオイルミストは、対極３２に慣性衝突して捕集される可能性はあるものの、本実施形態においては、対極を図５（Ｂ）や図６（Ｂ）に示すようにスリットを有するスクリーン状または格子状にして、対極の面積をできるだけ小さく構成することにより、対極でのオイルミストの捕集量を最小にしているので、対極が汚れ、頻繁に洗浄や清掃等を実施する必要がない。
【００４１】
続いて、荷電部３０において負に荷電されたオイルミストは捕集部４０に運ばれる。ここで、冷温水コイル４２における荷電されたオイルミストの捕集原理について、図１０を参照して説明する。
【００４２】
すなわち、荷電部３０において負イオンによりオイルミストが荷電される場合には、冷温水コイル４２の上流側に設置された高電圧スクリーン４１ａは、負に帯電したオイルミストを捕集しないようにするため負電圧が印加されている。一方、下流側に設置された高電圧スクリーン４１ｂは冷温水コイル前後の電界強度を高めるために、上流側の高電圧スクリーン４１ａと反対極性の正電圧が印加されている。
【００４３】
このように冷温水コイル４２の上流側の高電圧スクリーン４１ａにオイルミストと同極の負の高電圧を印加し、下流側の高電圧スクリーン４１ｂに反対極の正の高電圧を印加して、大きな電位勾配（電界）をつくることにより、荷電されたオイルミストは上流側の高電圧スクリーン４１ａと接地された冷温水コイル４２のコイルフィン４８の縁との間にできた電界によるクーロン力で、コイルフィン４８の縁にまず捕集される。
【００４４】
残りは、オイルミストと反対極の下流側の高電圧スクリーン４１ｂによりコイルフィン間に誘引され、下流側の高電圧スクリーン４１ｂに捕集される前に、コイルフィン４８と荷電されたオイルミストとの間に働くクーロン力により捕集される。これは、単に接地されたコイルフィン４８と荷電されたオイルミストとの間に生じる鏡像力ではない。
【００４５】
このようにしてコイルフィン４８にオイルミストが捕集された空気は、冷温水コイル４２を通り抜けて清浄な空気となり、空気吐出口１２から工場内の作業空間に供給される。
【００４６】
なお、オイルミストを捕集した冷温水コイル４２表面にはオイルミストが付着するが、自動洗浄装置４３が噴射ノズル４３ｂから洗浄水を間欠的に噴射して定期的に洗浄する。しかも、自動洗浄装置４３は噴射ノズル４３ｂが上下方向あるいは左右方向に往復移動するため、冷温水コイル４２全体をまんべんなく洗うことができ、冷温水コイル４２へのオイルミストの残留を防止することができる。その結果、冷温水コイル４２は常に清浄な状態を保つことができ、冷温水コイル４２によるオイルミストの捕集効率を高いレベルで維持することが可能となる。
【００４７】
さらに、本実施形態においては、冷温水コイル４２と送風機５０との間にエリミネーター４７を設けることにより、上記洗浄水の飛散を防止するという作用効果が得られる。
【００４８】
また、本実施形態においては、冷温水コイルを用いることにより、本空気調和機が設置される工場内における空調設定温度に合わせて、適宜、該冷温水コイルに冷水あるいは温水を供給することにより、オイルミストを除去するだけでなく、工場内の空調の効率化が図れる。
【００４９】
（３）効果
上述したように、本実施形態のオイルミスト除去機能を備えた室内循環型空気調和機においては、オイルミストの荷電効率を上げるために、放電極保護管３４に形成した清浄空気吹出口の向い側にスクリーン状または格子状の対極（接地極）３２を設けることにより、放電極３１と対極３２の間にイオン流場を形成し、そこをクロスするようにオイルミストを含んだ空気を流すことにより、オイルミストと空気イオンの衝突確率を向上させ、荷電効率を大幅に向上させることができる。
【００５０】
また、放電極３１の周囲に清浄空気を供給すると共に、冷温水コイル４２を自動洗浄することによりローメンテナンスを実現し、オイルミストを含む空気をイオン流場とクロスして流すことによる荷電部３０の高効率化と、冷温水コイル４２の周囲の電界強度を強くすることによる捕集部４０の高効率化により、オイルミストの除去効率を大幅に向上させることができる。
【００５１】
このように本空気調和機は、高効率でオイルミストを捕集でき、且つ、ローメンテナンスであるので室内循環型とすることができるので、従来のように温調した工場内の空気をすべて排気する必要がないため、大幅な省エネルギー化が可能となる。また、従来の室内循環型空気調和機を採用する場合に比べて、工場内の環境を大幅に改善することができる。
【００５２】
（４）他の実施形態
なお、本発明は上述した実施形態に限定されるものではなく、具体的な各部材の形状、あるいは取付位置及び方法は適宜変更可能である。例えば、対極の断面形状は、上述したようなスリットを有するスクリーン状や格子状に限定されるものではなく、図１１（Ａ）（Ｂ）に示すように、楕円形あるいは円形のパンチング穴を複数個形成したものを用いても良い。
【００５３】
また、対極の形状は、図５、図６あるいは図１１に示すような平板状に限定されるものではなく、図１２又は図１３に示すように、放電極保護管３４の半円部分に沿った波状とすることもできる。これにより、オイルミストと空気イオンとの衝突確率がさらに向上するという作用効果が得られる。
【００５４】
また、図１４に示すように、放電極３１が電極取付棒３３の対向する２側面に設置されている場合には、対極として垂直の板や四角形状の棒や丸棒を用い、この対極を互いに隣接する放電極保護管３４の間に配設しても良い。これにより、オイルミストの対極前での滞留時間が短くなるため、オイルミストの対極への捕集効率が低下し、対極の汚れを軽減できるという作用効果が得られる。
【００５５】
さらに、上記の実施形態では、電極取付棒３３に取り付ける放電極３１をそれぞれ一対としたが、図１５に示すように、該空気調和機の設計条件に合わせて１つずつとしても良い。また、前記清浄空気供給装置と前記荷電部とを一体化して構成しても良い。これにより、構成の簡略化が図れる。
【図面の簡単な説明】
【００５６】
【図１】本発明に係るオイルミスト除去機能付き空気調和機の構成を示す図。
【図２】本発明に係るオイルミスト除去機能付き空気調和機を金属加工工場等に設置した場合の全体構成を示す図。
【図３】荷電部の構成を示す斜視図。
【図４】荷電部における作用を示す図。
【図５】（Ａ）は、荷電部を構成する対極と放電極保護管及び放電極の位置関係を示す平面図、（Ｂ）は、対極の断面図。
【図６】（Ａ）は、荷電部を構成する対極と放電極保護管及び放電極の位置関係の変形例を示す平面図、（Ｂ）は、対極の断面図。
【図７】（Ａ）は、高電圧スクリーンの構成を示す平面図、（Ｂ）（Ｃ）は、スクリーン部分の変形例を示す図。
【図８】（Ａ）は、高電圧スクリーンの構成を示す平面図、（Ｂ）（Ｃ）は、スクリーン部分の変形例を示す図。
【図９】高電圧スクリーンの構成を示す平面図。
【図１０】冷温水コイルにおける荷電されたオイルミストの捕集原理を示す図。
【図１１】（Ａ）は、荷電部を構成する対極と放電極保護管及び放電極の位置関係の変形例を示す平面図、（Ｂ）は、対極の断面図。
【図１２】荷電部を構成する対極と放電極保護管及び放電極の位置関係の変形例を示す平面図。
【図１３】荷電部を構成する対極と放電極保護管及び放電極の位置関係の変形例を示す平面図。
【図１４】荷電部を構成する対極と放電極保護管及び放電極の位置関係の変形例を示す平面図。
【図１５】荷電部を構成する対極と放電極保護管及び放電極の位置関係の変形例を示す平面図。
【図１６】従来の全外気型空気調和機を金属加工工場等に設置した場合の全体構成を示す図。
【符号の説明】
【００５７】
１０…オイルミスト除去機能を備えた室内循環型空気調和機
１１…空気取入口
１２…空気吐出口
１３…ケーシング
２０…空気導入部
３０…荷電部
３１…放電極
３２…対極
３３…電極取付棒
３４…放電極保護管
３５…穴部
３６…高電圧発生装置
４０…捕集部
４１…高電圧スクリーン
４２…冷温水コイル
４３…自動洗浄装置
４４…高電圧発生装置
４７…エリミネーター
４８…コイルフィン
５０…送風機
６０…清浄空気供給装置
６１…プレフィルタ
６２…中性能フィルタ
６３…送風機
６４…給気ダクト
【図１】
0005009828.tif 000002
【図２】
0005009828.tif 000003
【図１０】
0005009828.tif 000004
【図３】
0005009828.tif 000005
【図４】
0005009828.tif 000006
【図５】
0005009828.tif 000007
【図６】
0005009828.tif 000008
【図７】
0005009828.tif 000009
【図８】
0005009828.tif 000010
【図９】
0005009828.tif 000011
【図１１】
0005009828.tif 000012
【図１２】
0005009828.tif 000013
【図１３】
0005009828.tif 000014
【図１４】
0005009828.tif 000015
【図１５】
0005009828.tif 000016
【図１６】
0005009828.tif 000017